【事件の表示】
　特願２００４−２２２６８０「遊技機」拒絶査定不服審判事件〔平成１８年　２月　９日出願公開、特開２００６−　３４８３８〕について、次のとおり審決する。
【結　論】
　本件審判の請求は、成り立たない。
【理　由】
１．手続の経緯
　本願は、平成１６年７月３０日の出願であって、平成２３年１月１２日付け（発送：２月１日）で拒絶査定され、これに対し、平成２３年４月２２日に拒絶査定不服審判の請求がなされ、同日付けで手続補正がなされたものである。
　
　
２．平成２３年４月２２日付け手続補正についての補正却下の決定
［補正却下の決定の結論］
　平成２３年４月２２日付けの手続補正を却下する。
　
［理由］
　（１）補正の内容
　平成２３年４月２２日付けの手続補正（以下、「本件補正」という。）により、特許請求の範囲は、
「【請求項１】
　前面が開口した筐体と、該筐体の前面左端部に上下方向を向くヒンジ軸により枢支され前記筐体の前面を開閉可能な前扉と、前記筐体内に収容され、複数の識別情報を変動表示可能なリールユニットとを備えた遊技機において、
　前記リールユニットは、前記筐体内に着脱自在に取り付けられ、かつ前面が開口したハウジングと、前記識別情報が付記された外周面が前記ハウジングの前面へ向くように前記ハウジング内に枢支され、回転することにより前記識別情報が変動表示可能な回転リールと、前記ハウジングに上下方向を向く回転軸回りに回動可能で、かつ上下方向へ着脱自在な着脱手段により枢支され前記ハウジングの前面を開閉可能な、前記前扉と別体の枠部材と、該枠部材に設置されるとともに、前面から前記識別情報を透視可能で、かつ電気的制御により各種遊技情報を表示可能なパネル状のディスプレイとを含み、
　前記ディスプレイは、前記回転リールの外周面に対向する前方にあって、かつ前記前扉に設けられ前記ディスプレイを保護するための透明な保護パネルの後面に対面する位置に配置され、
　前記着脱手段は、前記枠部材または前記ハウジングのいずれか一方の左端部に設けられ上下方向を向く円筒状のヒンジ筒と、前記枠部材または前記ハウジングのいずれか他方の左端部に設けられ前記ヒンジ筒に回動かつ上下方向へ抜き差し可能に嵌合されるヒンジ軸とを有することを特徴とする遊技機。」
　に補正された。
　
　本件補正は、平成２２年２月１９日付け手続補正書により補正された特許請求の範囲（平成２２年８月３日付け手続補正書は、平成２３年１月１２日付け補正の却下の決定により却下されている。）の請求項２ないし請求項４を削除し、請求項１における「筺体に支持され」という事項を「筺体の前面左端部に上下方向に向くヒンジ軸により枢支され」と、また「ハウジングに回動かつ着脱自在」という事項を「ハウジングに上下方向を向く回動軸回りに回動可能で、かつ上下方向へ着脱自在」と補正し、さらに、「前記ディスプレイは、前記回転リールの外周面に対向する前方にあって、かつ前記前扉に設けられ前記ディスプレイを保護するための透明な保護パネルの後面に対面する位置に配置され、前記着脱手段は、前記枠部材または前記ハウジングのいずれか一方の左端部に設けられ上下方向を向く円筒状のヒンジ筒と、前記枠部材または前記ハウジングのいずれか他方の左端部に設けられ前記ヒンジ筒に回動かつ上下方向へ抜き差し可能に嵌合されるヒンジ軸とを有する」という事項を付加したものであって、当該補正全体を見れば、本件補正は特許請求の範囲の減縮を目的とするものと認められる。
　したがって、本件補正は、平成１８年法律第５５号改正附則第３条第１項によりなお従前の例によるとされる同法による改正前の特許法第１７条の２第４項の規定に違反しない。
　そこで、本件補正により補正された請求項１に記載された発明（以下、「本件補正発明」という。）が特許出願の際独立して特許を受けることができるものであるかについて検討する。
　
　（２）引用文献に記載された事項
　原査定の拒絶の理由（平成２２年６月１４日付けの最後の拒絶理由通知書）において引用文献３として引用された特開２００４−３３４３３号公報（以下、この文献を「引用文献３」という。）には、図面とともに、以下の記載がある。
　
（ア）「【００１７】
　図１〜図４に示すように、スロットマシン１は、遊技ホールの島構造体（図示略）に取付けられた前面開放状の箱状本体２を備え、この箱状本体２に前扉３が開閉可能に枢着されている。前扉３には、上側から順番に、上部中央装飾ランプ４及び上部両側装飾ランプ５と、左右に長い台形状の第１開口部６と、演出表示用の第２開口部７と、図柄表示用の第３開口部８が設けられ、その下側にはメダル精算ボタン９と、メダル１枚投入ボタン１０と、メダル３枚投入ボタン１１と、メダル投入口１２とが設けられている。
【００１８】
　更に、その下側にはスタートレバー１５と３つのストップボタン１６〜１８とか夫々が設けられ、その下側には更に、遊技テーマをイメージするイメージパネル１９と、左右１対のスピーカ２０と、メダル払出し口２１と、メダル受け皿２２とが夫々設けられている。但し、イメージパネル１９はマグネット等により着脱可能に取り付けられている。ところで、箱状本体２の内部の高さ方向中段部よりやや低い位置には、図２，図５に示すように、棚板２４が固定され、その棚板２４の上面に後述するリールユニット３０（これが交換ユニットに相当する）が着脱可能に装着されるようになっている。
【００１９】
　次に、リールユニット３０について、図４に基づいて説明する。
　リールユニット３０は、３つ（左側、中央、右側）の回転リール３４〜３６（これらが表示部材に相当する）及びこれらを回転駆動する駆動モータ（図示略）とモータ駆動回路（図示略）等を組み込んだ可変表示機構３１と、装飾表示パネル３７と、主制御基板６６を収容した基板ケース６７等を一体的に組み合わせて構成されている。可変表示機構３１について簡単に説明すると、前方開放状の本体フレーム３２内に、前後方向向きの３枚の仕切り板３３が所定間隔おきに平行に固定され、各仕切り板３３に駆動モータ（図示略）が夫々固着され、各駆動モータの駆動軸に回転リール３４〜３６の中心部が取り付けられている。」
（イ）「【００２１】
　本体フレーム３２の前端位置に略鉛直向きの装飾表示パネル３７が配設され、開閉可能になっている。即ち、本体フレーム３２の下面壁の前端部を円形状に曲げ形成された枢支部３２ａと、装飾表示パネル３７の背面の下端部に形成された断面略円形状の被枢支部３７ａと、これらを挿通させた枢支ピン３８によるヒンジ３９により、図６に示すように、装飾表示パネル３７は２点鎖線で示す前方の開位置に揺動可能になっている。装飾表示パネル３７は、その略下半部分である下側表示パネル４０と、演出表示パネル４１と、入賞の組合わせ図柄を表示する入賞図柄表示パネル４２とを一体形成したものである。
【００２２】
　装飾表示パネル３７の略下半部分である下側表示パネル４０には、縦長の３つの図柄表示窓４４が左右に並べて形成され、これら図柄表示窓４４に、回転リール３４〜３６の前端側部分が夫々接近状に臨んでいる。それ故、回転リール３４〜３６が回転した場合、回転リール３４〜３６の外周部に表された複数種の図柄が図柄表示窓４４を介して変動表示され、回転リール３４〜３６の回転が停止した場合、図柄表示窓４４の上段と中段と下段に、回転リール３４〜３６の複数の図柄のうちの前側に位置する３つの連続する図柄だけが図柄表示窓４４を介して停止表示される。
【００２３】
　下側表示パネル４０の左端側部には、１枚のメダル投入を表示する１つの１枚投入表示部４５と、２枚のメダル投入を表示する２つの２枚投入表示部４６と、３枚のメダル投入を表示する２つの３枚投入表示部４７と、スタート(START) 表示部４８とが夫々設けられている。下側表示パネル４０の右端側部には、ビッグ(BIG) 表示部４９と、レギュラー(REG) 表示部５０と、リプレイ(REPLAY)表示部５１と、ウェイト(WAIT)表示部５２とインサート(INSERT)表示部５３とが設けられている。
【００２４】
　各表示部４５〜５３の内部には表示用ランプが夫々設けられ、これら表示用ランプが点灯した場合、点灯した表示部４５〜５３に表された文字情報の機能が有効になる。下側表示パネル４０には、更に、図１に示すように、１枚のメダル投入で有効化される１つの１枚用入賞ライン５５と、２枚のメダル投入で有効化される２つの２枚用入賞ライン５６と、３枚のメダル投入で有効化される２つの３枚用入賞ライン５７とが夫々表されている。
【００２５】
　投入されたメダルが１枚の場合には１本の入賞ライン５５だけが有効化されるが、２枚投入の場合には３本の入賞ライン５５，５６が有効化され、３枚投入の場合には５本全ての入賞ライン５５〜５７が有効化される。下側表示パネル４０の下端側部には、貯留枚数表示部５８と、特別遊技表示部５９と、付与枚数表示部６０とが設けられている。
【００２６】
　貯留枚数表示部５８と付与枚数表示部６０は、２桁の数字を表示可能な７セグメントからなるＬＥＤ（発光ダイオード）で構成され、特別遊技表示部５９は４桁の数字を表示可能な７セグメントからなるＬＥＤで構成されている。演出表示パネル４１には、その裏側の左右方向中央部の裏面側に、遊技に関連する種々の演出の為の文字や画像をドットパターンで電気的に可変表示可能な液晶ディスプレイ６２( これがディスプレイ手段に相当する) 及びその表示用ドライバ６３が配設され、液晶ディスプレイ６２に対応するように矩形状の切欠き４１ａが形成されている。」
（ウ）「【００３０】
　ところで、本体フレーム３２には、本体フレーム３２の左右両側壁の下端部を部分的に切り起こした水平状の係合片３２ｂが夫々形成されている。そして、棚板２４の上面には、図５に示すように、左右１対の係合片３２ｂに係脱可能な左右１対の係合部２５，２６が夫々固定されている。但し、各係合部２５，２６は左側又は右側の一段低い取付け壁２５ａ，２６ａにおいてビス止めされるとともに、奥側（後側）において縦壁で塞がれている。
【００３１】
　このように、リールユニット３０に複数の係合片３２ｂを設けると共に、箱状本体２に複数の係合片３２ｂが夫々係脱可能な複数の係合部２５，２６を設けたので、リールユニット３０を箱状本体２に装置するに際して、各係合片３２ｂを対応する係合部２５，２６に係合させることで、リールユニット３０を箱状本体２に位置決めすることができる。」
（エ）「【００５３】
　８〕図１５に示すように、樹脂製又は金属製のフレーム１００を設け、このフレーム１００に回転リール３４〜３６と、可変表示機構３１と、装飾表示パネル３７と、基板ケースを取付けて交換ユニット３０を形成するようにしてもよい。この場合、フレーム１００に把手部１０１が形成されているので、作業者がこの把手部１０１を持って交換ユニット３０を交換できるため、交換作業の作業性が大幅に改善される。ここで、装飾表示パネル３７の外周縁部に沿ってフレーム部を一体又は別体に設けることで、フレーム部を補強してもよい。また、そのフレーム部を図１５に示したフレーム１００に固定するのも好ましい。
【００５４】
　９〕リールユニット３０としては、主基板（主基板ケース）やその他の制御基板を着脱自在に取付けるのも好ましい。その場合、図４、図９、図１０、図１５に示した複数の回転リール３４〜３６の左右何れか一方又は両方に制御基板を取付ければよい。
　１０〕リールユニット３０と装飾表示パネル３７を別体に構成し、装飾表示パネル３７を前扉３の裏側に着脱自在に取付けてもよい。」
　
　以上、（ア）ないし（エ）の記載、および図面を総合すると、引用文献３には、以下の発明が開示されていると認めることができる。
「１．前面開放状の箱状本体２を備え、この箱状本体２に前扉３が開閉可能に枢着されているスロットマシンである。前扉３には、左右に長い台形状の第１開口部６と、演出表示用の第２開口部７と、図柄表示用の第３開口部８が設けられている。
　２．箱状本体２の内部の高さ方向中段部よりやや低い位置には、棚板２４が固定され、その棚板２４の上面にリールユニット３０（これが交換ユニットに相当する）が着脱可能に装着されるようになっている。
　３．リールユニット３０は、３つ（左側、中央、右側）の回転リール３４〜３６（これらが表示部材に相当する）及びこれらを回転駆動する駆動モータとモータ駆動回路等を組み込んだ可変表示機構３１と、装飾表示パネル３７と、主制御基板６６を収容した基板ケース６７等を一体的に組み合わせて構成されている。可変表示機構３１は、前方開放状の本体フレーム３２内に、前後方向向きの３枚の仕切り板３３に駆動モータが夫々固着され、各駆動モータの駆動軸に回転リール３４〜３６の中心部が取り付けられている。リールユニット３０を箱状本体２に装置するに際して、各係合片３２ｂを対応する棚板２４に設けられた係合部２５，２６に係合させることで、リールユニット３０を箱状本体２に位置決めすることができる。
　４．リールユニット３０の本体フレーム３２の下面壁の前端部を円形状に曲げ形成された枢支部３２ａと、装飾表示パネル３７の背面の下端部に形成された断面略円形状の被枢支部３７ａと、これらを挿通させた枢支ピン３８によるヒンジ３９により、装飾表示パネル３７は前方の開位置に揺動可能になっている。装飾表示パネル３７は、その略下半部分である下側表示パネル４０と、演出表示パネル４１と、入賞の組合わせ図柄を表示する入賞図柄表示パネル４２とを一体形成したものである。
　５．装飾表示パネル３７の略下半部分である下側表示パネル４０には、縦長の３つの図柄表示窓４４が左右に並べて形成され、これら図柄表示窓４４に、回転リール３４〜３６の前端側部分が夫々接近状に臨んでいる。それ故、回転リール３４〜３６が回転した場合、回転リール３４〜３６の外周部に表された複数種の図柄が図柄表示窓４４を介して変動表示され、また停止表示される。また、下側表示パネル４０の左端側部には各表示部４５〜５３が、下端側部には各表示部５８〜６０が設けられている。
　６．演出表示パネル４１には、その裏側の左右方向中央部の裏面側に、遊技に関連する種々の演出の為の文字や画像をドットパターンで電気的に可変表示可能な液晶ディスプレイ６２( これがディスプレイ手段に相当する) 及びその表示用ドライバ６３が配設され、液晶ディスプレイ６２に対応するように矩形状の切欠き４１ａが形成されている。
　７．装飾表示パネル３７に設けられた入賞図柄表示パネル４２、演出表示パネル４１および下側表示パネル４０は、前扉が閉じた状態で、前記第１開口部６、第２開口部７および第３開口部８とそれぞれ対向する。」
（以下、この発明を「引用発明Ａ」という。）
　
　（３）対比
　引用発明Ａと本件補正発明を対比する。
　引用発明Ａの「前面開放状の箱状本体２」、「箱状本体２の前面左端部にヒンジで枢支され箱状本体２の前面を開閉可能な前扉３」、「箱状本体２の内部に着脱可能に装着されるリールユニット３０」は、それぞれ本件補正発明の「筺体」、「前扉」、「リールユニット」に相当する。
　引用発明Ａのリールユニット３０における「本体フレーム３２」、「回転リール３４〜３６」は、それぞれ本件補正発明の「ハウジング」、「回転リール」に相当し、また、引用発明Ａにおける「装飾表示パネル３７」は、パネル形状のものではあるが、液晶ディスプレイ６２や各表示部４５〜５３、５８〜６０等を支持する部材であってかつ本体フレームに枢支されて回動軸回りに回動可能であるから、本件補正発明の「枠部材」に対応するものといえる。
　なお、引用発明Ａの「液晶ディスプレイ６２」は、装飾表示パネル３７に設置されているものの、回転リールの外周面に対向する前方に配置されたものでないから、電気的制御により各種遊技情報を表示可能なパネル状のディスプレイであっても、一応、本件補正発明の「パネル状のディスプレイ」と対応していないと解釈する。
　
　以上のことから、引用発明Ａと本件補正発明は、
　＜一致点＞
「前面が開口した筐体と、該筐体の前面左端部に枢支され前記筐体の前面を開閉可能な前扉と、前記筐体内に収容され、複数の識別情報を変動表示可能なリールユニットとを備えた遊技機において、
　前記リールユニットは、前記筐体内に着脱自在に取り付けられ、かつ前面が開口したハウジングと、前記識別情報が付記された外周面が前記ハウジングの前面へ向くように前記ハウジング内に枢支され、回転することにより前記識別情報が変動表示可能な回転リールと、前記ハウジングに回転軸回りに回動可能で、前記ハウジングの前面を開閉可能な、前記前扉と別体の枠部材と、を含んだ、遊技機。」
　である点で一致しており、以下の点で相違している。
　
　＜相違点１＞
　本件補正発明は、筐体の前面を開閉可能な前扉が「筐体の前面左端部に上下方向を向くヒンジ軸により枢支」されているのに対して、
　引用発明Ａは、前扉が筐体の前面左端部に枢支されているものの「ヒンジ軸により枢支」されたものではない点。
　なお、ここでいう「ヒンジ軸により枢支」とはどのような構造であるのか不明な点もあるが、一応本願図８に記載されているような「ヒンジ軸２０ａとヒンジ筒２０ｂで形成される着脱手段により枢支」の意味であると解釈する。
　＜相違点２＞
　本件補正発明は、枠部材がハウジングに対して、「上下方向を向く回動軸回りに回動可能で、かつ上下方向へ着脱自在な着脱手段」により枢支され、「着脱手段は、前記枠部材または前記ハウジングのいずれか一方の左端部に設けられ上下方向を向く円筒状のヒンジ筒と、前記枠部材または前記ハウジングのいずれか他方の左端部に設けられ前記ヒンジ筒に回動かつ上下方向へ抜き差し可能に嵌合されるヒンジ軸とを有する」ものであるのに対して、
　引用発明Ａは、装飾表示パネル（本件補正発明の枠部材に対応するもの）が本体フレーム（本件補正発明のハウジングに対応するもの）に対して、左右方向を向く回動軸回りに回動可能に枢支されたものであり、また、本件補正発明のような構成を備えた着脱手段により枢支されたものでない点
　＜相違点３＞
　本件補正発明は、「前扉にディスプレイを保護するための透明な保護パネルが設けられ」ており、そして、「回転リールの外周面に対向する前方にあって、かつ前記前扉に設けられ前記ディスプレイを保護するための透明な保護パネルの後面に対面する位置に配置され」ていて「前面から前記識別情報を透視可能」な「電気的制御により各種遊技情報を表示可能なパネル状のディスプレイ」が枠部材に備えているのに対して、
　引用発明Ａは、前扉に透明な保護パネルが設けられているか不明であり、そして、装飾表示パネルに本件補正発明のようなパネル状の液晶ディスプレイを備えていない点。
　
　（４）判断
　＜相違点１＞について
　最後の拒絶理由通知書において引用文献１として引用された特開２００３−４７６８６号公報（以下、「引用文献１」という。特に、段落【００２３】〜【００２４】、【００４８】〜【００４９】、図２〜図４参照。）には、スロットマシンの筺体の前面を開閉する前扉を、上向きのヒンジ軸とヒンジ筒で形成され上下方向に着脱自在な着脱手段により枢支したものが記載されている。
　そして、回動可能に枢支する手段としてどのような手段を用いるかは適宜選択できるのであるから、引用発明Ａにおける前扉の枢支手段を、引用文献１に記載されたようなヒンジ軸とヒンジ筒とによる着脱手段（着脱可能な枢支手段）に換えることは、当業者が容易に想到できたと認められる。
　＜相違点２＞について
　引用発明Ａの装飾表示パネル３７は、左右方向を向く回動軸回りに回動可能に枢支されている（図６：枢支ピン３８によるヒンジ３９により、上から下方向へ開く点を参照。）が、これは装飾表示パネル３７を開閉できるようにするのが目的であって、開閉方向に特段の意味がないことは明らかである。（つまり、上から下方向に開くこと自体に特段の意味はない。）
　また、上記（エ）の記載（引用文献３の段落【００５４】参照。）からみて、装飾表示パネル３７を着脱自在にすることも示唆されている。
　一方、前記したように、引用文献１には、筺体の前面を開閉する前扉を、上向きのヒンジ軸とヒンジ筒で形成され上下方向に着脱自在な着脱手段により枢支したものが記載されている。
　してみると、引用発明Ａの装飾表示パネル３７において、その枢支手段を、引用文献１に記載されたような着脱手段に換えることは、当業者が容易に想到できたということができる。
　なお、前扉の着脱手段と枠部材の着脱手段を共に左端部に設けることは、適宜なし得る設計事項にすぎないと認められる。
　＜相違点３＞について
　引用発明Ａにおいて、回転リールの外周面に対向する前方に配置された装飾表示パネル３７の一部分である下側表示パネル４０には、回転リール外周面に描かれた識別情報を透視可能な切欠き４４と、各表示部４５〜４８等が設けられている。（図４参照。）
　そして、引用発明Ａは、当該下側表示パネル４０ならびに識別情報を遊技機前面から目視可能にするために、前扉には開口部８が設けられている。（図３参照。）
　当該開口部８が単なる切欠きであるのか、あるいは透明部材で覆われた窓であるのか定かでないが、引用発明Ａの図１、２からすれば、開口部８から見える下側表示パネル４０の上に入賞ライン５７（横ライン３本と斜めライン２本）が引かれているから、当該開口部８が透明部材で覆われていることは明らかである。（下側表示パネルの切欠き部分から見える識別情報の上にも入賞ライン５７が描かれている。）
　たとえ前記したことが明らかでないとしても、前扉に設けられた窓部に、内部に配置された表示部を保護するための透明パネルを設けることは、審尋で示した特開２００３−２６０１７２号公報（段落【００１３】、【００１７】、【００４８】、図面上の図柄表示窓４２等参照。）に記載されているだけでなく、一般に周知であるといえるから、引用発明Ａにおける前扉の開口部を透明な保護パネルで覆う程度のことは適宜なし得ることである。
　ところで、最後の拒絶理由通知書において引用文献２として引用された特開２００４−１６６８４１号公報（以下、「引用文献２」という。特に、段落【００２８】〜【００２９】、【００４８】〜【００５１】、図１〜図４参照。）には、回転リールの外周面に対向する前方にあって、かつ前記前扉の後面に対面する位置に、識別情報を透視可能な液晶パネルを備え、識別情報を前面から目視可能にするとともに、当該液晶パネル上に各遊技情報を表示可能にしたものが記載されている。
　そして、引用文献２に記載された液晶パネルと引用発明Ａにおける下側表示パネル４０は、いずれも回転リールに対向する前方にあって、かつ前扉の窓部の後方に設けられたものであり、識別情報を前面から目視可能にするとともに、各遊技情報を表示可能にしたものである。
　そうすると、引用発明Ａの下側表示パネル４０を引用文献２に記載された液晶表示装置に換えることは容易に想到できたということができる。
　したがって、相違点３に係る事項は、引用文献２に記載されたもの、および周知技術から当業者が容易に想到できたと認められる。
　
　さらに、上記した全ての相違点および本件補正発明の作用効果を総合的に勘案しても、本件補正発明に格別のものを認めることができない。
　以上のように、本件補正発明は、引用発明Ａ、引用文献１、２に記載された発明、および周知技術に基づいて、当業者が容易に発明をすることができたものである。
　したがって、本件補正発明は、特許法第２９条第２項の規定により、その特許出願の際に独立して特許を受けることができない。
　
　（５）本件補正発明についてのまとめ
　以上のとおり、本件補正は、平成１８年法律第５５号改正附則第３条第１項によりなお従前の例によるとされる同法による改正前の特許法第１７条の２第５項において準用する同法第１２６条第５項の規定に違反するものであるから、同法第１５９条第１項の規定において読み替えて準用する同法第５３条第１項の規定により却下すべきものである。
　
　
３．本件発明について
　（１）本件発明及び引用文献に記載された発明
　平成２３年４月２２日付けの手続補正は上記のとおり却下されたので、請求項に係る発明は、平成２２年２月１９日付け手続補正書により補正された特許請求の範囲の請求項１ないし請求項４に記載されたとおりのものである。
　そして、請求項１に記載された発明は以下のとおりである。
「【請求項１】
　前面が開口した筐体と、該筐体に支持され前記筐体の前面を開閉可能な前扉と、前記筐体内に収容され、複数の識別情報を変動表示可能なリールユニットとを備えた遊技機において、
　前記リールユニットは、前記筐体内に着脱自在に取り付けられ、かつ前面が開口したハウジングと、前記識別情報が付記された外周面が前記ハウジングの前面へ向くように前記ハウジング内に枢支され、回転することにより前記識別情報が変動表示可能な回転リールと、前記ハウジングに回動かつ着脱自在な着脱手段により枢支され前記ハウジングの前面を開閉可能な、前記前扉と別体の枠部材と、該枠部材に設置されるとともに、前面から前記識別情報を透視可能で、かつ電気的制御により各種遊技情報を表示可能なパネル状のディスプレイとを含むことを特徴とする遊技機。」
（以下、この発明を「本件発明」という。）
　
　（２）対比・判断
　本件発明は、前記「２．」で検討した本件補正発明の「筺体の前面左端部に上下方向に向くヒンジ軸により枢支され」を「筺体に支持され」に、そして「ハウジングに上下方向を向く回動軸回りに回動可能で、かつ上下方向へ着脱自在」を「ハウジングに回動かつ着脱自在」にし、さらに「前記ディスプレイは、前記回転リールの外周面に対向する前方にあって、かつ前記前扉に設けられ前記ディスプレイを保護するための透明な保護パネルの後面に対面する位置に配置され、前記着脱手段は、前記枠部材または前記ハウジングのいずれか一方の左端部に設けられ上下方向を向く円筒状のヒンジ筒と、前記枠部材または前記ハウジングのいずれか他方の左端部に設けられ前記ヒンジ筒に回動かつ上下方向へ抜き差し可能に嵌合されるヒンジ軸とを有する」という事項を削除したものである。
　そうすると、本件発明の構成要件を全て含み、さらに他の構成要件を付加して発明を限定したものに相当する本件補正発明が、前記２．（４）に記載したとおり、引用発明Ａ、引用文献１、２に記載された発明、および周知技術に基づいて当業者が容易に発明をすることができたものであるから、本件発明も同様の理由により、当業者が容易に発明をすることができたものである。
　
　（３）むすび
　以上のとおり、本件発明は、引用発明Ａ、引用文献１、２に記載された発明、および周知技術に基づいて当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。